(57)【要約】【課題】Ｘ線測定装置において、管電圧の変動を較正して正しい測定結果を得ることである。【解決手段】骨等価物質フィルタの実測を行い（Ｓ１０−Ｓ１４）、あらかじめ記憶されている標準測定値を読み出し（Ｓ１６）、比較が行われる（Ｓ１８）。比較の結果、差異が認められるときは、Ｘ線測定における動作特性に変動が生じているので、その差異に基づいて管電圧を調整する（Ｓ２０−Ｓ２６）。管電圧の調整後に、筋肉等価物質フィルタの実測を行い（Ｓ２８−Ｓ３２）、標準測定値が読み出され（Ｓ３４）、比較が行われる（Ｓ３６）。比較の結果、差異がないときは調整後の管電圧のままでＸ線測定を行うことができ、差異があるときは、管電圧の変動以外の変動であるので、エラーを出力（Ｓ３７）する。また、管電圧の調整については、２種のフィルタによる測定値比の比較に基づいて行うこともできる。【選択図】　　　　図２
2004113587.tif 000002
【特許請求の範囲】
【請求項１】
被検体にＸ線を透過させて被検体を測定するＸ線測定装置において、
設定電圧の印加によりＸ線を発生するＸ線発生部と、
前記Ｘ線を検出するＸ線検出部と、
前記Ｘ線発生部と前記Ｘ線検出部との間のＸ線ビーム経路上に電圧調整用フィルタ手段を設定する調整用フィルタ設定部と、
前記電圧調整用フィルタ手段を用いて得られたＸ線検出結果に基づく現状測定値に応じて、前記Ｘ線発生部についての設定電圧を調整する調整部と、
前記調整部による設定電圧の調整後に、前記Ｘ線ビーム経路上に電圧検証用フィルタ手段を設定する検証用フィルタ設定部と、
前記電圧検証用フィルタ手段を用いて得られたＸ線検出結果に基づく調整後測定値に応じて、前記調整後の設定電圧を検証する検証部と、
を含むことを特徴とするＸ線測定装置。
【請求項２】
請求項１に記載のＸ線測定装置において、
前記電圧調整用フィルタ手段は第１フィルタにより構成され、
前記電圧検証用フィルタ手段は、前記第１フィルタとＸ線吸収特性が異なる第２フィルタにより構成されることを特徴とするＸ線測定装置。
【請求項３】
請求項１に記載のＸ線測定装置において、
前記電圧調整用フィルタ手段は、前記調整用フィルタ設定部に同時または順次に設定される互いにＸ線吸収特性の異なる第１フィルタ及び第２フィルタにより構成され、
前記電圧検証用フィルタ手段は、前記第１フィルタ、前記第２フィルタ、またはそれらとＸ線吸収特性が異なる第３フィルタにより構成されることを特徴とするＸ線測定装置。
【請求項４】
請求項１に記載のＸ線測定装置において、
前記電圧調整用フィルタ手段による現状測定値と、あらかじめ測定された第１標準測定値と、を比較する電圧調整用比較部を含み、
前記調整部は、前記電圧調整用比較部の比較結果に基づいて前記設定電圧を調整することを特徴とするＸ線測定装置。
【請求項５】
請求項１に記載のＸ線測定装置において、
前記検証用フィルタ手段による調整後測定値と、あらかじめ測定された第２標準測定値とを比較する検証用比較部を含み、
前記検証部は、前記検証用比較部の比較結果に基づいて前記調整後の設定電圧を検証することを特徴とするＸ線測定装置。
【請求項６】
請求項５に記載のＸ線測定装置において、
前記調整後測定値と前記第２標準測定値との間の差異に基づいて、エラーを出力するエラー出力部を含むことを特徴とするＸ線測定装置。
【請求項７】
請求項２または請求項３に記載のＸ線測定装置において、
前記第１フィルタ及び前記第２フィルタは、一方が骨等価物質から構成され、他方が筋肉等価物質から構成されていることを特徴とするＸ線測定装置。
【発明の詳細な説明】
【０００１】
【発明の属する技術分野】
本発明は、Ｘ線測定装置に係り、特に、Ｘ線を発生する管電圧の変動を較正して正しい測定結果を得ることができるＸ線測定装置に関する。
【０００２】
【従来の技術】
Ｘ線測定装置は、Ｘ線を被検体に照射し、透過したＸ線を検出して被検体組織の測定を行う装置で、例えばＸ線ＣＴ装置の場合は、被検体を透過したＸ線検出値からＸ線減衰量相当値（ＣＴ値）を画像化して断層画像を構築する。これらの装置ではＸ線発生器とＸ線検出器とが備えられるが、Ｘ線発生器及びＸ線検出器の動作特性に経年変化（ドリフト）が生ずると、正確な測定が行われなくなる。例えば、Ｘ線を発生するＸ線管に印加される管電圧が変動すると、ＣＴ値の変動につながり、断層画像のコントラストが異なり、画像診断に悪影響を及ぼし、また、断層画像を定量化、数値化する場合に値が異なってきて、症状の経過観察が困難になる。そこで、特許文献１に開示されるように、例えば塩化ビニール板やアルミ板の補正用フィルタを用いて、補正用フィルタに関するＸ線減衰量について、過去の基準減衰量と現在の減衰量とを比較してドリフト量を特定することが行われる。
【０００３】
【特許文献１】
特許第３２５６６６７号公報
【０００４】
【発明が解決しようとする課題】
上記特許文献１によるドリフト量特定法においては、Ｘ線発生器及びＸ線検出器の動作特性の変動を一体として把握してそのドリフト量を算出し、算出されたドリフト量に基づいて、Ｘ線測定結果に補正がなされる。したがって、補正用フィルタに関するＸ線減衰量の測定の他に、Ｘ線測定結果に対する補正計算が余分に必要となる。
【０００５】
また、余分な補正計算を行う代わりに、端的に、補正用フィルタを用いてＸ線を発生する管電圧の設定を較正することも考えられるが、補正用フィルタに関する減衰量等の変化に基づいて単純に管電圧の設定を変更すると、正しいＸ線測定結果を得ることが困難である。なぜならば、減衰量等のＸ線測定値の変動は、Ｘ線発生器の動作特性とＸ線検出器の動作特性の双方が関係し、その分離が困難なためである。例えば、検出された減衰量の変化が、Ｘ線発生器、特に管電圧の変動によるものでなくＸ線検出器の動作特性のみの変動による場合もあり、あるいは、管電圧の変動と他の要因の変動が重畳している場合もある。このような場合に、真の要因の変動の較正をせずに管電圧の設定を変更すると、Ｘ線測定の前提条件が異なったものとなり、Ｘ線測定結果が誤ったものとなり、過去のデータとの継続性が失われてしまう。
【０００６】
このように、Ｘ線測定装置の動作特性の変動には管電圧の変動と他の変動要因とが重畳しているために、それらの要因を分離して管電圧の変動を抑制して長期安定性を確保し難く、Ｘ線測定装置の動作特性の変動を抑制することが困難であった。
【０００７】
本発明は、かかる従来技術の課題を解決し、Ｘ線測定装置の動作特性の変動を抑制するＸ線測定装置を提供することである。他の目的は、管電圧の変動を較正して正しい測定結果を得ることができるＸ線測定装置を提供することである。
【０００８】
【課題を解決するための手段】
上記目的を達成するため、本発明に係るＸ線測定装置は、被検体にＸ線を透過させて被検体を測定するＸ線測定装置において、設定電圧の印加によりＸ線を発生するＸ線発生部と、前記Ｘ線を検出するＸ線検出部と、前記Ｘ線発生部と前記Ｘ線検出部との間のＸ線ビーム経路上に電圧調整用フィルタ手段を設定する調整用フィルタ設定部と、前記電圧調整用フィルタ手段を用いて得られたＸ線検出結果に基づく現状測定値に応じて、前記Ｘ線発生部についての設定電圧を調整する調整部と、前記調整部による設定電圧の調整後に、前記Ｘ線ビーム経路上に電圧検証用フィルタ手段を設定する検証用フィルタ設定部と、前記電圧検証用フィルタ手段を用いて得られたＸ線検出結果に基づく調整後測定値に応じて、前記調整後の設定電圧を検証する検証部と、を含むことを特徴とする。
【０００９】
上記構成により、電圧調整用フィルタ手段を用いて得られた現状測定値に応じてＸ線発生部の設定電圧を調整し、その上で改めて電圧検証用フィルタ手段によりその調整された設定電圧の下でのＸ線検出結果を検証する。したがって、Ｘ線測定に関する動作特性の変動が、Ｘ線発生部の設定電圧、すなわち管電圧の変動のみの場合は、電圧調整用フィルタ手段による調整でその変動が除かれる一方で、管電圧以外の他の変動要因があるときは電圧調整用フィルタ手段による調整ではその変動が除かれないままとなり、その相違は、電圧検証用フィルタ手段による検証によって明らかにできる。すなわち、Ｘ線測定装置の動作特性の変動要因を管電圧の変動と他の変動要因とに分離でき、それにあわせてＸ線測定装置の動作特性の変動を抑制できる。特に、管電圧の変動が要因であることが検証されれば、調整された設定電圧をそのままＸ線測定に用いることができ、正しい測定結果を得ることができる。
【００１０】
また、前記電圧調整用フィルタ手段は第１フィルタにより構成され、前記電圧検証用フィルタ手段は、前記第１フィルタとＸ線吸収特性が異なる第２フィルタにより構成されることが好ましい。上記構成により、２個のフィルタのＸ線検出結果によって、設定電圧の調整とその検証が可能となり、Ｘ線測定結果に対する余分の補正計算等を要しない。
【００１１】
また、前記電圧調整用フィルタ手段は、前記調整用フィルタ設定部に同時または順次に設定される互いにＸ線吸収特性の異なる第１フィルタ及び第２フィルタにより構成され、前記電圧検証用フィルタ手段は、前記第１フィルタ、前記第２フィルタ、またはそれらとＸ線吸収特性が異なる第３フィルタにより構成されることが好ましい。上記構成により、２個ないし３個のフィルタのＸ線検出結果によって、設定電圧の調整とその検証が可能となり、Ｘ線測定結果に対する余分の補正計算等を要しない。
【００１２】
また、前記電圧調整用フィルタ手段による現状測定値と、あらかじめ測定された第１標準測定値と、を比較する電圧調整用比較部を含み、前記調整部は、前記電圧調整用比較部の比較結果に基づいて前記設定電圧を調整することが好ましい。また、前記検証用フィルタ手段による調整後測定値と、あらかじめ測定された第２標準測定値とを比較する検証用比較部を含み、前記検証部は、前記検証用比較部の比較結果に基づいて前記調整後の設定電圧を検証することが好ましい。
【００１３】
また、前記調整後測定値と前記第２標準測定値との間の差異に基づいて、エラーを出力するエラー出力部を含むことが好ましい。上記構成により、Ｘ線測定装置の動作特性の変動要因が、Ｘ線発生器の管電圧変動以外の要因であることが検証されたときに、エラーを出力し、オペレータに知らせ他の変動要因除去のための適切な処置を図ることができる。
【００１４】
また、前記第１フィルタ及び前記第２フィルタは、一方が骨等価物質から構成され、他方が筋肉等価物質から構成されていることが好ましい。骨はＸ線吸収係数が大きく、筋肉はＸ線吸収係数が小さい。上記構成により、Ｘ線吸収特性について幅の広い物質からなる生体組織のＸ線測定に適合した調整と検証を行うことができる。
【００１５】
【発明の実施の形態】
以下に図面を用いて、本発明に係る実施の形態につき詳細に説明する。以下では、Ｘ線測定装置として被検体に対しＸ線を照射し、透過したＸ線を検出して撮像データとしてデータ処理するＸ線撮像装置について説明する。かかるＸ線撮像装置としては、Ｘ線検出値に基づきＣＴ値を画像化して断層画像を構築するＸ線ＣＴ装置の他、Ｘ線検出値に基づき骨塩量の２次元分布を求める骨塩量測定装置等がある。
【００１６】
図１は、Ｘ線測定装置１０のブロック図である。Ｘ線測定装置１０は、被検体に対してＸ線ビームを照射し透過したＸ線を検出する通常のＸ線測定モードと、基準物質からなるフィルタを用いて、Ｘ線測定の動作特性の変動を抑制するための調整・検証モードの動作とが可能な構成を有する。
【００１７】
Ｘ線測定装置１０は、大別して、被検体または基準物質からなるフィルタに対しＸ線を照射し、透過したＸ線を検出するＸ線照射・検出ブロック１２と、各構成要素を全体として制御する制御ブロック１４と、表示部１６とから構成される。
【００１８】
Ｘ線照射・検出ブロック１２は、内部にＸ線を発生するＸ線管２２を有するＸ線発生器２４と、これに対向して配置されるＸ線検出器２６と、Ｘ線管２２の管電圧を設定調整する管電圧設定部２８を備える。また、Ｘ線照射・検出ブロック１２は、Ｘ線管２２から放射されるＸ線ビーム３０の照射経路中に、被検体３２を載置できるベッド３４と、基準物質からなるフィルタ３６ａ，３６ｂを挿入できるフィルタ設定部３８が設けられる。
【００１９】
制御ブロック１４は、各構成要素全体を制御する機能を有し、一般的なコンピュータで構成することができる。制御ブロック１４は、特に、Ｘ線検出値をデータ処理するデータ処理部４２と、調整・検証モードにおいて管電圧設定部２８を制御する調整部４４と、調整後の管電圧を検証する検証部４６と、基準物質からなるフィルタの標準測定値を記憶するメモリ４８とを備える。表示部１６は、Ｘ線測定結果等を表示するディスプレイである。
【００２０】
以下に、各構成要素の内容につき、標準のＸ線測定モードの場合を中心にまず説明し、つぎに調整・検証モードの場合につき説明する。
１．標準のＸ線測定モード
Ｘ線発生器２４は、Ｘ線管２２に所定の設定管電圧を印加することで、Ｘ線測定に用いるＸ線ビーム３０を発生する機能を有するものである。Ｘ線発生器２４には必要に応じビームコリメータが設けられ、Ｘ線ビーム３０の指向性を設定できる。図には、Ｘ線管２２から上方のＸ線検出器２６に向けたＸ線照射経路が示されている。
【００２１】
Ｘ線検出器２６は、Ｘ線に感応する検出素子をアレイ状に並べ、被検体３２を透過したＸ線を検出するものである。例えば、複数の検出素子を一列に並べたアレイ素子等が用いられる。２次元アレイ素子を用いることもできる。
【００２２】
ベッド３４は、Ｘ線発生器２４とＸ線検出器２６との間のＸ線照射経路に設けられた、被検体３２を載置するものである。ベッド３４は、Ｘ線を透過する材料、例えばアクリル材等で作られた載置板を有し、載置板の上に被検体３２が所定の姿勢を取るように載置される。
【００２３】
管電圧設定部２８は、Ｘ線発生器２４に接続され、Ｘ線管２２に印加する管電圧の値を設定する。管電圧の設定は、Ｘ線測定の種類、例えば透過像の撮像あるいは骨塩量測定等の種類、測定対象である被検体の種類や性質、例えば人体あるいは小型動物等、肥満体あるいは筋肉質等に対応して行うことができる。また、同じ被検体に対し、複数の管電圧を設定することもできる。例えば同じ被検体に対し、高エネルギのＸ線と低エネルギのＸ線とを交互に照射して骨塩量を測定するいわゆるＤＸＡ法の場合には、２種類の管電圧の設定をすることができる。
【００２４】
図示されていない走査機構により、ベッド３４に載置された被検体３２に対してＸ線ビーム３０を走査することができる。例えば、Ｘ線ＣＴ装置の場合は、被検体３２を中心としてＸ線発生器２４とＸ線検出器２６を一体として回転させつつ、被検体３２に対し輪切り状にＸ線ビーム３０を走査する。また、骨塩量測定装置の場合は、ベッド３４に平行な面内でＸ線発生器２４とＸ線検出器２６を一体として移動させて、被検体３２の腰椎部分に対しＸ線ビーム３０をパラレルスキャンにより走査する。
【００２５】
被検体３２に対してＸ線ビーム３０を走査し、得られたＸ線検出値は、制御ブロックのデータ処理部４２に入力される。データ処理部４２は、被検体３２を透過したＸ線検出値をデータ処理する回路である。被検体３２の組織が、骨、筋肉、脂肪等からなるときは、Ｘ線吸収係数は骨が最も大きく、ついで筋肉で、脂肪は筋肉よりＸ線吸収係数がさらに小さい。そこで、測定の各点におけるＸ線検出値を規格化し、画像の濃淡の２次元撮像データに変換することで、骨、筋肉、脂肪等の分布等を把握し、診断等に用いることができる。
【００２６】
Ｘ線検出値の規格化には、Ｘ線吸収係数またはＣＴ値が用いられる。ＣＴ値は、Ｘ線吸収係数について水を標準＝０として、他の物質のＸ線吸収係数を規格化したものである。したがって、ＣＴ値でいえば、骨＞筋肉＞脂肪の順となる。
【００２７】
例えば、Ｘ線ＣＴ装置の場合では、被検体３２を中心として輪切り状に走査して得られたＸ線検出値を、ＣＴ値に換算して断層画像データに処理する。また、骨塩量測定装置では、腰椎部分の各点のＸ線検出値から減衰量を求め、単位面積当り骨塩量を算出し、２次元の骨塩量分布画像データに処理する。
【００２８】
データ処理された結果は、表示部１６に出力されて、被検体３２の断層画像あるいは骨塩量分布等として表示される。
【００２９】
このように、標準のＸ線測定モードにおいては、ベッド３４を用いてＸ線ビーム３０の照射経路の中に被検体３２が置かれ、被検体３２に対応した管電圧が設定される。それにより発生されたＸ線を被検体３２に照射し、透過したＸ線検出値をデータ処理し、被検体３２の断層画像あるいは骨塩量分布等が表示される。２．調整・検証モード
調整・検証モードにおいては、ベッド３４を用いて被検体３２にＸ線を照射するのでなく、フィルタ設定部３８を用いて基準物質からなるフィルタ３６ａ，３６ｂにＸ線を照射する。
【００３０】
フィルタ設定部３８は、Ｘ線ビーム３０の照射経路上に設けられ、さらに基準物質からなるフィルタ３６ａ，３６ｂを挿入するための機能を有している。基準物質からなるフィルタの挿入は、後述する管電圧の調整のためのときと、調整された管電圧を検証するためのときにそれぞれ行われる。フィルタ設定部３８の構成として、例えば板状の基準物質からなるフィルタをスライドさせて照射経路上に位置決めできる機構を用いることができる。基準物質からなるフィルタは、１枚ずつ入れ替えしながら挿入する機構でもよく、複数枚のフィルタを順次送り込む機構でもよい。また、照射経路上に複数枚のフィルタを同時に設定できる機構でもよい。フィルタの挿入の有無、フィルタの種類を検知するセンサをフィルタ設定部３８に設けることもできる。
【００３１】
基準物質からなるフィルタ３６ａ，３６ｂとしては、例えば一方をＸ線吸収係数の大きい骨等価物質からなる第１フィルタ、他方をＸ線吸収係数の小さい筋肉等価物質からなる第２フィルタで構成することが好ましい。骨等価物質として、ポリビニルカーボン（ＰＶＣ）を用いることができ、筋肉等価物質としてタフウオータ（Ｘ線透過に関し硬い水）を用いることができる。この２種以外の物質であっても、Ｘ線吸収特性が安定している物質であれば、その物質からなる第３フィルタ等を基準物質からなるフィルタとして用いることができる。３種以上のフィルタを基準物質からなるフィルタとして用いてもよい。
【００３２】
Ｘ線検出器２６は、基準物質からなるフィルタ３６ａ，３６ｂを透過したＸ線を検出し、その出力は制御ブロック１４に入力される。
【００３３】
制御ブロック１４においては、調整部４４と検証部４６とメモリ４８とにより、基準物質からなるフィルタを透過したＸ線検出値に基づき、Ｘ線測定における動作特性の変動を抑制する調整とその調整に対する検証を行う。
【００３４】
調整部４４は、現状の管電圧設定のままで、フィルタ設定部３８に設定される基準物質からなるフィルタにＸ線ビームを照射し、透過したＸ線検出値を、基準物質からなるフィルタの標準測定値と比較し、その比較に基づいて、管電圧設定部２８を制御して、管電圧を調整する機能を有している。後述するように、管電圧調整のためにフィルタ設定部３８に設定される基準物質からなるフィルタは、１種類のフィルタで構成される場合と、互いにＸ線吸収係数の異なる２種類のフィルタで構成される場合がある。
【００３５】
検証部４６は、調整部４４による設定管電圧の調整後に、フィルタ設定部３８に設定される基準物質からなるフィルタにＸ線ビームを照射し、透過したＸ線検出値を、基準物質からなるフィルタの標準測定値と比較し、その比較に基づいて、調整後の設定管電圧を検証する機能を有する検証手段である。後述するように、検証のために用いる基準物質からなるフィルタは、管電圧の調整のときに用いられたフィルタに応じて異なる。
【００３６】
メモリ４８は、基準物質からなるフィルタそれぞれについて標準状態における測定値を記憶する記憶装置である。記憶装置として、不揮発性の半導体メモリ等の記憶媒体を用いることができる。例えば、標準状態における測定値は、Ｘ線測定装置１０の工場出荷前に、標準の設定管電圧の下で、骨等価物質からなる第１フィルタ、筋肉等価物質からなる第２フィルタ及び必要に応じ適当なＸ線吸収係数を有する基準物質からなる第３フィルタ等についてＸ線を照射し、透過したＸ線の検出値、Ｘ線吸収係数、ＣＴ値等のデータを採取したものを用いることができる。標準条件としての設定管電圧は、例えば５０ｋＶまたは１００ｋＶを用いることができる。５０ｋＶおよび１００ｋＶの双方の設定管電圧についてそれぞれ標準測定値を求めてもよい。
【００３７】
メモリ４８には、第１フィルタ、第２フィルタ、第３フィルタ等のフィルタごとに、設定管電圧をパラメータとして、Ｘ線検出値、Ｘ線吸収係数、ＣＴ値等のＸ線吸収特性が記憶される。また、同一管電圧の下での２種のフィルタにおけるＸ線吸収特性の比、例えば、（第１フィルタのＸ線吸収係数）／（第２フィルタのＸ線吸収係数）の値等も記憶される。
【００３８】
また、Ｘ線検出器２６（複数の検出素子によって構成されている検出器を考える）により検出されるＸ線検出値等は、Ｘ線検出器２６を構成する検出素子の検出特性の影響をうけるので、Ｘ線検出器２６全体としてのＸ線検出値等の平均値を記憶させるほか、Ｘ線検出器２６をいくつかの領域に区分して各領域ごとのＸ線検出値等の平均値を記憶させることもできる。また、検出素子ごとにＸ線検出値等を記憶させてもよい。
【００３９】
調整部４４及び検証部４６の動作を図２のフローチャートを用いて説明する。図２は、電圧調整用フィルタとして骨等価物質フィルタを用い、電圧検証用フィルタとして筋肉等価物質フィルタを用いる場合について、管電圧の調整および検証の手順を示すフローチャートである。
【００４０】
まず骨等価物質フィルタの実測を行う（Ｓ１０からＳ１４）。骨等価物質フィルタをフィルタ設定部に挿入（Ｓ１０）し、設定管電圧、例えば５０ｋＶの下で、骨等価物質フィルタにＸ線を照射（Ｓ１２）し、透過したＸ線を検出して、現状測定値を取得する（Ｓ１４）。現状実測値は、Ｘ線検出器全体としての平均値を用いる。また、現状実測値は、Ｘ線検出値そのままでもよく、Ｘ線吸収係数あるいはＣＴ値に換算してもよい。
【００４１】
次に、記憶装置から骨等価物質フィルタの標準測定値を読み出し（Ｓ１６）、第１実測値との比較が行われる（Ｓ１８）。例えば、Ｘ線検出器全体の平均値としてのＸ線検出値同士で比較が行われる。比較の結果、現状実測値と標準測定値との間に差異がないときは、以後の工程を行うことなく、フィルタ排出工程（Ｓ３８）に進んで終了する。
【００４２】
現状実測値と標準測定値との間に差異が認められるときは、Ｘ線測定における動作特性に変動が生じているので、その差異を少なくし、標準測定値に一致するまで設定管電圧を変えて調整する（Ｓ２０−Ｓ２６）。一般に、管電圧を高くするとＸ線は透過しやすくなり、Ｘ線検出値が大きくなる。したがって、現状実測値がＸ線検出値であって、標準測定値より小さい値であるときは、標準測定値に一致するまで管電圧を高めていき、例えば５１ｋＶに調整する。調整は、Ｘ線検出値をモニタしながら手動で行うことができる。具体的には、管電圧を変化させ（Ｓ２０）、その管電圧の下で骨等価物質フィルタにＸ線を照射し（Ｓ２２）、透過したＸ線の測定値を取得する（Ｓ２４）。そこで標準測定値と比較し（Ｓ２６）、差異があるときは、差異が認められなくなるまでＳ２０−Ｓ２６の工程を繰り返す。差異がなくなって標準測定値と一致すれば次の工程（Ｓ２８）に進む。調整については、ルックアップテーブル等を用いて自動で行うこともできる。
【００４３】
設定電圧の調整後、筋肉等価物質フィルタの実測を行う（Ｓ２８からＳ３２）。筋肉等価物質フィルタをフィルタ設定部に置換（Ｓ２８）し、調整後の設定管電圧、上記の例で５１ｋＶの下で、筋肉等価物質フィルタにＸ線を照射（Ｓ３０）し、透過したＸ線を検出して、調整後測定値を取得する（Ｓ３２）。調整後測定値はＸ線検出器全体の平均値を用いる。また、調整後測定値は、Ｘ線検出値そのままでもよく、Ｘ線吸収係数あるいはＣＴ値に換算してもよい。現状測定値と同じ項目でなくてもよい。
【００４４】
次に、記憶装置から筋肉等価物質フィルタの標準測定値を読み出し（Ｓ３４）、調整後測定値との比較が行われる（Ｓ３６）。例えば、Ｘ線検出器全体の平均値としてのＸ線検出値同士で比較が行われる。比較の結果、差異がなければ、Ｘ線測定における動作特性の変動は、管電圧の変動によるものと確認されたことになるので、フィルタを排出し（Ｓ３８）、先ほど調整した管電圧の値５１ｋＶを、そのまま以後のＸ線測定に用いる。差異の有無の判断は、所定の範囲例えば許容誤差範囲を超えるときに差異があるものとすることができる。
【００４５】
比較の結果、所定の範囲を超えて差異があるときは、Ｘ線測定における動作特性の変動が、管電圧の変動以外であることが確認されたことになるので、エラーを出力（Ｓ３７）し、オペレータに知らせる。その後筋肉等価物質フィルタを排出する（Ｓ３８）。
【００４６】
上記において、電圧調整用フィルタとして筋肉等価物質フィルタを用い、電圧検証用フィルタとして骨等価物質フィルタを用いてもよい。
【００４７】
図３は、管電圧の調整のために２種類の基準物質からなるフィルタの測定値比を用いる場合についてのフローチャートである。具体的には、電圧調整用フィルタとして、骨等価物質フィルタと筋肉等価物質フィルタを用い、電圧検証用フィルタとして、骨等価物質フィルタを用いた場合のフローチャートである。
【００４８】
まず骨等価物質フィルタの実測を行う（Ｓ４０からＳ４４）。骨等価物質フィルタをフィルタ設定部に挿入（Ｓ４０）し、設定管電圧、例えば５０ｋＶの下で、骨等価物質フィルタにＸ線を照射（Ｓ４２）し、透過したＸ線を検出して、測定値（Ａ）を取得する（Ｓ４４）。測定値（Ａ）は、Ｘ線検出器全体の平均値が用いられる。測定値（Ａ）は、Ｘ線検出値そのままでもよく、Ｘ線吸収係数あるいはＣＴ値に換算してもよい。
【００４９】
次にフィルタを入れ替えて、筋肉等価物質フィルタの実測を行う（Ｓ４６からＳ５０）。骨等価物質フィルタを筋肉等価物質フィルタに置換し（Ｓ４６）し、同じ設定管電圧、上記の例で５０ｋＶの下で、筋肉等価物質フィルタにＸ線を照射（Ｓ４８）し、透過したＸ線を検出して、測定値（Ｂ）を取得する（Ｓ５０）。測定値（Ｂ）は、測定値（Ａ）と同じ項目にする。
【００５０】
測定値（Ａ）及び測定値（Ｂ）とから、測定値比＝測定値（Ａ）／測定値（Ｂ）を取得する（Ｓ５２）。
【００５１】
図４は、測定値比の例としてＸ線吸収係数比について、管電圧が５０ｋＶと１００ｋＶの値を示したものである。骨と筋肉の測定値比は、撮像画像において、骨の部分の濃淡と筋肉の部分の濃淡との比であるから、撮像画像におけるコントラストを示す値と考えられ、測定値比が同じのときは、撮像画像においてコントラストがほぼ同じとなる。また、図４に示されるように、測定値比は、管電圧の関数であるので、測定値比を同じにするように管電圧を変化させれば、ほぼ同じコントラストの撮像画像を得ることができる。このように、Ｘ線測定における動作特性が変動したときに、測定値比による管電圧の調整は、撮像画像のコントラストに着目した簡便な方法となる。
【００５２】
次に、記憶装置から、骨等価物質フィルタと筋肉等価物質フィルタについての標準測定値比を読み出し（Ｓ５４）、現状の測定値比と比較する（Ｓ５６）。例えば、Ｘ線検出器全体の平均測定値から求めた測定値比同士で比較が行われる。比較の結果、差異がないときは、以後の工程を行うことなく、フィルタ排出工程（Ｓ８８）に進んで終了する。
【００５３】
現状の測定値比と標準測定値比との間に差異が認められるときは、Ｘ線測定における動作特性に変動が生じているので、その差異を少なくするように設定管電圧を変化させ、標準測定値比と一致する管電圧に調整する（Ｓ５８−Ｓ７４）。図４に示すように、管電圧を高くするとＸ線吸収係数比は小さくなる。したがって、測定値比としてＸ線吸収係数比をとるときは、現状の測定値比が標準測定値比より大きい値であるときは、標準測定値比に一致するまで管電圧を高めていき、例えば５１ｋＶに調整する。調整は、測定値比をモニタしながら手動で行うことができる。具体的には、管電圧を変化させ（Ｓ５８）、フィルタを骨等価物質フィルタに置き換え（Ｓ６０）、Ｘ線を照射し（Ｓ６２）、透過したＸ線の測定値（Ａ｀）　を取得する（Ｓ６４）。次に筋肉等価物質フィルタに置き換え（Ｓ６６）、Ｘ線を照射し（Ｓ６８）、透過したＸ線の測定値（Ｂ｀）　を取得する（Ｓ７０）。そして測定値比Ａ｀／Ｂ｀を取得する（Ｓ７２）。ここで標準測定値比と比較し（Ｓ７４）、差異があるときは、差異が認められなくなるまでＳ５８−Ｓ７４の工程を繰り返す。差異がなくなって標準測定値比と一致すれば次の工程（Ｓ７６）に進む。調整については、ルックアップテーブル等を用いて自動で行うこともできる。
【００５４】
設定電圧の調整後、骨等価物質フィルタの実測を行う（Ｓ７６からＳ８０）。ここでは、骨等価物質フィルタをフィルタ設定部に挿入（Ｓ７６）し、調整後の設定管電圧、上記の例で５１ｋＶの下で、骨等価物質フィルタにＸ線を照射（Ｓ７８）し、透過したＸ線を検出して、調整後測定値を取得する（Ｓ８０）。調整後測定値は、Ｘ線検出器全体の平均値が用いられる。調整後測定値は、Ｘ線検出値そのままでもよく、Ｘ線吸収係数あるいはＣＴ値に換算してもよい。
【００５５】
次に、記憶装置から骨等価物質フィルタの標準測定値を読み出し（Ｓ８２）、調整後測定値との比較が行われる（Ｓ８４）。例えば、Ｘ線検出器全体の平均値としてのＸ線検出値同士で比較が行われる。比較の結果、差異がなければ、Ｘ線測定における動作特性の変動は、管電圧の変動によるものと確認されたことになるので、フィルタを排出し（Ｓ８８）、先ほど仮調整した管電圧の値５１ｋＶを、そのまま以後のＸ線測定に用いる。差異の有無の判断は、所定の範囲例えば許容誤差範囲を超えるときに差異があるものとすることができる。
【００５６】
比較の結果、所定の範囲を超えて差異があるときは、Ｘ線測定における動作特性の変動が、管電圧の変動以外であることが確認されたことになるので、エラーを出力（Ｓ８６）し、オペレータに知らせる。その後骨等価物質フィルタを排出する（Ｓ８８）。
【００５７】
上記において、電圧検証用フィルタとして、筋肉等価物質フィルタ、あるいは他のＸ線吸収特性が安定している物質からなる第３フィルタを用いてもよい。
【００５８】
このようにして、基準物質からなるフィルタによる実測を、管電圧調整のための実測と、調整後管電圧の検証のための実測との２段階に分けて行うことで、Ｘ線測定における動作特性の変動を、管電圧の変動とそれ以外の要因による変動とに分離できる。変動要因が分離できれば、それにあわせてＸ線測定装置の動作特性の変動を抑制できる。特に、管電圧の変動が要因であることが検証されれば、調整された設定電圧をそのままＸ線測定に用いることができ、正しい測定結果を得ることができる。
【００５９】
上記の説明において、電圧検証用フィルタとしては１種類のフィルタを用いたが、複数の種類のフィルタ、例えばさらに脂肪等価物質からなるフィルタ等、被検体の性質に合わせた他のフィルタを併せ用いて検証を行ってもよい。
【００６０】
また、現状測定値や標準測定値等の測定値については、Ｘ線検出器全体の平均値を用いるものとしたが、Ｘ線検出器２６をいくつかの領域に区分して各領域ごとの平均値を用いてもよく、また、検出素子ごとの測定値を用いてもよい。
【００６１】
【発明の効果】
本発明に係るＸ線測定装置によれば、Ｘ線測定装置の動作特性の変動を抑制することができる。本発明に係るＸ線測定装置によれば、管電圧の変動を較正して正しい測定結果を得ることができる。
【図面の簡単な説明】
【図１】本発明に係る実施の形態についてのＸ線測定装置のブロック図である。
【図２】本発明に係る実施の形態における管電圧の調整及び検証の手順を示すフローチャートである。
【図３】他の実施の形態における管電圧の調整及び検証の手順を示すフローチャートである。
【図４】測定値比の例として、骨と筋肉についてのＸ線吸収係数比を示す図である。
【符号の説明】
１０　Ｘ線測定装置、１２　Ｘ線照射・検出ブロック、１４　制御ブロック、１６　表示部、２２　Ｘ線管、２４　Ｘ線発生器、２６　Ｘ線検出器、２８　管電圧設定部、３０　Ｘ線ビーム、３２　被検体、３４　ベッド、３６ａ，３６ｂ基準物質からなるフィルタ、３８　フィルタ設定部、４２　データ処理部、４４　調整部、４６　検証部、４８　メモリ。
【図１】
2004113587.tif 000003
【図２】
2004113587.tif 000004
【図３】
2004113587.tif 000005
【図４】
2004113587.tif 000006